(57)【要約】      （修正有）【課題】締結具の締結強度向上。【解決手段】本システムは、第一端部１１４および第二端部１１６を有するロッド本体１１２を含む。円錐部分１１８は、前記ロッド本体の前記第一端部で前記ロッド本体と一体的であり、三角形先端部分１２０で先細になっている。前記三角形先端部分は、前記円錐部分と一体的な近位端部１２４と、略先細状の遠位端部１２６とを有している。大型螺旋状リブ１３２は前記ロッド本体と前記円錐部分に形成される。小型螺旋状リブ１３４は第一リブ端部で前記大型螺旋状リブと一体的であり、前記円錐部分上に延在し、遠位端部に向かって先細になっている。部分的な溝は前記小型螺旋状リブの近位端部に沿って前記円錐部分に形成され、隣接する小型螺旋状リブ要素間の一部に延在している。把持部分１４０は前記ロッド本体の前記第二端部に接している。【選択図】図２
2009250326.tif 000002
【特許請求の範囲】
【請求項１】
第一端部および第二端部を有するロッド本体と、
前記ロッド本体の前記第一端部で前記ロッド本体と一体的であり、三角形先端部分において先細になっている円錐部分とを有し、
前記三角形先端部分が、少なくとも１つの平坦面と、前記円錐部分と一体的な近位端部と、略先細状の遠位端部とを有しており、
更に、前記三角形先端部分の角度面に形成された切欠きと、
前記ロッド本体と前記円錐部分に形成された大型螺旋状リブと、
第一リブ端部において前記大型螺旋状リブと一体的であり、前記円錐部分上に延在し、前記切欠きの遠位端部に向かって先細になっている小型螺旋状リブと、
前記ロッド本体の前記第二端部に接した把持部分とを有している締結具。
【請求項２】
前記把持部分が更にハンドルを有している請求項１に記載の締結具。
【請求項３】
前記把持部分が更に、スロット、プラス溝および六角くぼみが形成されたグループの１つを備えた平頭部を有している請求項１に記載の締結具。
【請求項４】
前記小型螺旋状リブの近位端部に沿って前記円錐部分に形成され、隣接する小型螺旋状リブ要素間の一部に延在する部分的な溝を更に有している請求項１に記載の締結具。
【請求項５】
前記把持部分が更にフックを有している請求項１に記載の締結具。
【請求項６】
第一端部および第二端部を有するロッド本体と、
前記ロッド本体の前記第一端部で前記ロッド本体と一体的であり、三角形先端部分において先細になっている円錐部分とを有し、
前記三角形先端部分が、前記円錐部分と一体的な近位端部と、略先細状の遠位端部とを有しており、
更に、前記ロッド本体と前記円錐部分に形成された大型螺旋状リブと、
第一リブ端部において前記大型螺旋状リブと一体的であり、前記円錐部分上に延在し、前記略先細状の遠位端部に向かって先細になっている小型螺旋状リブと、
前記小型螺旋状リブの近位側に沿って前記円錐部分に形成され、隣接する小型螺旋状リブ要素間の一部に延在する部分的な溝と、
前記ロッド本体の前記第二端部に接した把持部分とを有している締結具。
【請求項７】
前記部分的な溝の遠位端部において前記三角形先端部分に形成された切欠きを更に有している請求項６に記載の締結具。
【請求項８】
前記三角形先端部分に形成され、前記略先細状の遠位端部から前記小型螺旋状リブまで延在する平坦面を更に有している請求項６に記載の締結具。
【請求項９】
前記把持部分が更にハンドルを有している請求項６に記載の締結具。
【発明の詳細な説明】
【技術分野】
【０００１】
本発明は概して締結具に関し、より詳細には、螺旋状リブの間に成形部分を有するねじに関する。
【背景技術】
【０００２】
図１は、従来技術のねじ設計に従ったねじ１０の正面図である。従来のねじ１０を合板、パネル用材、セメント板、ワンバイ材、ツーバイ材、パーティクルボード、複合木材等の最も慣習的な建築材料にかみ合わせるのが難しいことがある。仕上げ木ねじを手で回すにしても、敷板をねじ銃で取り付けるにしても、ねじ１０を回し続けても何も起こらないばかりか、どのように悪化してしまうかを大工や日曜大工愛好家であれば皆知っている。ねじ１０はかみ合わず、代わりに押し下げたときに不安定なねじ１０が側方に向かって、ドライバーが加工表面や押さえ手に損傷を与える。問題はねじ先端部にあり、大工の誰もが知っているように、ねじ１０の螺旋状リブ１２が材料の表面に係合することによって多くのねじ１０はかみ合うのだが、これには大きな初期応力が必要になりかねない。
【０００３】
従って、この業界にはこれまで対処されなかった前述の欠陥および欠点に対処する必要性がある。
【発明の開示】
【０００４】
本発明の実施形態は、締結具を提供するシステムおよび方法を提供する。簡単に説明すると、特にシステムの一実施形態は下記のように実行することができる。システムは、第一端部および第二端部を有するロッド本体を含む。円錐部分は、ロッド本体の第一端部でロッド本体と一体形成される。円錐部分は、三角形先端部分で先細になっている。三角形先端部分は、少なくとも１つの平坦面と、円錐部分と一体的な近位端部と、略先細状の遠位端部とを有する。切欠きは、三角形先端部分の角度面に形成される。大型螺旋状リブは、ロッド本体と円錐部分に形成される。小型螺旋状リブは、第一リブ端部で大型螺旋状リブと一体形成される。小型螺旋状リブは円錐部分上に延在し、切欠きの遠位端部に向かって先細になっている。把持部分はロッド本体と一体的であり、ロッド本体の第二端部に接している。
【０００５】
システムの別の実施形態は、下記のように説明することができる。システムは、第一端部および第二端部を有するロッド本体を含む。円錐部分は、ロッド本体の第一端部でロッド本体と一体的になっている。円錐部分は、三角形先端部分で先細になっている。三角形先端部分は、円錐部分と一体的な近位端部と、略先細状の遠位端部とを有する。大型螺旋状リブは、ロッド本体と円錐部分に形成される。小型螺旋状リブは、第一リブ端部で大型螺旋状リブと一体的になっている。小型螺旋状リブは円錐部分上に延在し、略先細状の遠位端部に向かって先細になっている。部分的な溝は、小型螺旋状リブの近位側に沿って円錐部分に形成される。溝は、すべての隣接する小型螺旋状リブ要素間に延在してはいない。把持部分は、ロッド本体の第二端部に接している。
【０００６】
本発明のその他のシステム、方法、特徴および利点は、以下の図面および詳細な説明を検討することによって当業者には明らかとなるであろう。そのようなさらなるシステム、方法、特徴および利点のすべてはこの説明に包含され、本発明の範囲に含まれ、添付の請求項によって保護されることを目的としている。
【発明を実施するための最良の形態】
【０００７】
本発明の多くの態様は、以下の図面を参照することによってよりよく理解できるであろう。図面の構成要素は必ずしも一定の割合で描かれておらず、代わりに本発明の原則を明確に例証することに重点を置いている。更に、図面において、同様の参照番号は複数の図を通して対応する部品を示す。
【０００８】
図２は、本発明の第１の例示的実施形態に従った締結具１１０の斜視図である。図３は、本発明の第１の例示的実施形態に従って図２に示された締結具１１０の一部分の正面図である。図４は、本発明の第１の例示的実施形態に従って図３に示された締結具１１０の一部分の側面図である。締結具１１０は、第一端部１１４および第二端部１１６を有するロッド本体１１２を含む。円錐部分１１８は、ロッド本体１１２の第一端部１１４でロッド本体１１２と一体形成される。円錐部分１１８は、三角形先端部分１２０で先細になっている。三角形先端部分１２０は、少なくとも１つの平坦面１２２と、円錐部分１１８と一体的な近位端部１２４と、略先細状の遠位端部１２６とを有する。切欠き１２８は、三角形先端部分１２０の角度面１３０に形成される。大型螺旋状リブ１３２は、ロッド本体１１２と円錐部分１１８に形成される。小型螺旋状リブ１３４は、第一リブ端部１３６で大型螺旋状リブ１３２と一体形成される。小型螺旋状リブ１３４は円錐部分１１８上に延在し、切欠き１２８の遠位端部１３８に向かって先細になっている。把持部分１４０はロッド本体１１２と一体的であり、ロッド本体１１２の第二端部１１６に接している。
【０００９】
図２を見てもわかるように、把持部分１４０はハンドル１４２であり得る。ハンドル１４２は、締結具１１０を表面に貫通させるためにねじることができる。代替設計では、把持部分１４０は、例えば、マイナス（平頭）ドライバーとかみ合わせることができるスロット、プラス（フィリップスＴＭ）ドライバーとかみ合わせることができるプラス溝、例えばアレンレンチ用に形成された六角くぼみ、または他のねじ設計で知られる同様の機構にしてもよい。把持部分１４０はフックでもよく、締結具１１０をねじって表面を貫通させたり、または締結具１１０が固定された際に、従来のフック機能として物品を吊るしたりするのに用いることができる。その他の設計の把持部分１４０も考えられ、当業者には既知であり、それらは本発明の範囲に含まれるとみなされる。
【００１０】
図４を見てもわかるように、三角形先端部分１２０は狭断面を有する。この断面は、平坦面１２２のために部分的に狭くなっている。狭断面によって、締結具１１０を使用する際に、締結具１１０が表面の初期貫通をより容易に達成することができる。平坦面１２２は、先細状の遠位端部１２６から下方へ切欠き１２８を超えるまで続き得る。平坦面１２２の長さによって、切欠き１２８の遠位端部１３８に向かう小型螺旋状リブ１３４を表面の初期貫通に包含させることができる。小型螺旋状リブ１３４が表面を貫通すると、締結具１１０は表面を貫通し続けるように一部のかみ合いが求められる。
【００１１】
平坦面１２２は通常、締結具１１０をねじる行為に対して多少の抵抗をもたらし、表面の分裂を引き起こす可能性があることが予測される。図３を見てもわかるように、切欠き１２８は、平坦面１２２の左側部分の領域を減少させる。締結具１１０を時計方向にねじった際に、抵抗をもたらすのはこの左側部分である。切欠き１２８を形成することによって、この抵抗の大きな部分が取り除かれる。
【００１２】
平坦面１２２は、略先細状の遠位端部１２６から小型螺旋状リブ１３４の上端部分１４４の上まで延在する。その際、小型螺旋状リブ１３４は円錐部分１１８に沿って一回転分延在するので、平坦面１２２がこれと干渉することはない。平坦面１２２は、図４では三角形先端部分１２０の約半分を取り除いて形成されているように見えるが、本発明の範囲から逸脱することなく、三角形先端部分１２０のさまざまな断片を取り除いて平坦面１２２を形成することができる。
【００１３】
図５は、本発明の第２の例示的実施形態に従った締結具２１０の一部分の正面図である。図６は、本発明の第２の例示的実施形態に従って図５に示された締結具２１０の一部分の側面図である。締結具２１０は、第一端部２１４および第二端部２１６（図７に示される）を有するロッド本体２１２を含む。円錐部分２１８は、ロッド本体２１２の第一端部２１４でロッド本体２１２と一体形成される。円錐部分２１８は、三角形先端部分２２０で先細になっている。三角形先端部分２２０は、少なくとも１つの平坦面２２２と、円錐部分２１８と一体的な近位端部２２４と、略先細状の遠位端部２２６とを有する。切欠き２２８は、三角形先端部分２２０の角度面２３０に形成される。大型螺旋状リブ２３２は、ロッド本体２１２と円錐部分２１８に形成される。小型螺旋状リブ２３４は、第一リブ端部２３６で大型螺旋状リブ２３２と一体形成される。小型螺旋状リブ２３４は円錐部分２１８上に延在し、切欠き２２８の遠位端部２３８に向かって先細になっている。把持部分２４０はロッド本体２１２と一体的であり、ロッド本体２１２の第二端部２１６に接している。
【００１４】
図５および図６を見てもわかるように、部分的な溝２４８は小型螺旋状リブ２３４の近位端部２５０に沿って円錐部分２１８に形成されており、溝２４８はすべての隣接する小型螺旋状リブ２３４の要素間に延在してはいない。部分的な溝２４８は、円錐部分２１８内に切り込まれた約６４分の１インチの溝であり得る。部分的な溝２４８は、小型螺旋状リブ２３４の下の切欠き２２８から延在し、小型螺旋状リブ２３４がロッド本体２１２上で大型螺旋状リブ２３２と接するところの最も近傍まで続き得る。図示のように、部分的な溝２４８は締結具２１０の約二回転分延在し得る。部分的な溝２４８は小型螺旋状リブ２３４の表面領域を増大させ、締結具２１０の締結強度を向上させる働きをすることができる。部分的な溝２４８の断面形状は、切欠き２２８の断面形状と同様であり得る。部分的な溝２４８は締結具２１０の限られた部分に沿って示されているが、本発明の範囲から逸脱することなく、部分的な溝２４８は締結具２１０のより大きなまたはより小さな部分に沿って延在することができる。
【００１５】
平坦面２２２は、略先細状の遠位端部２２６から小型螺旋状リブ２３４の上端部分２４４の上まで延在する。その際、小型螺旋状リブ２３４は円錐部分２１８に沿って一回転分延在するので、平坦面２２２がこれと干渉することはない。平坦面２２２は、図６では三角形先端部分２２０の約半分を取り除いて形成されているように見えるが、本発明の範囲から逸脱することなく、三角形先端部分２２０のさまざまな断片を取り除いて平坦面２２２を形成することができる。
【００１６】
図７は、本発明の第２の例示的実施形態に従って図５に示された、物体２６０を壁２６２に取り付ける締結具２１０の一部分の側面図である。締結具２１０は、ある角度をもって取り付けられ、これは他の締結具では難しくなりかねないことだが、三角形先端部分２２０の平坦面２２２によってある程度実現できる。把持部分２４０は、装飾的なハンドル２４２であってもよい。物体２６０は、棚を吊るすための壁ブラケット、棚、または壁に取り付けるのが有効で望ましい任意の他の物品であってよい。
【００１７】
図８は、本発明の第３の例示的実施形態に従った締結具３１０の一部分の正面図である。図９は、本発明の第３の例示的実施形態に従って図８に示された締結具３１０の一部分の側面図である。締結具は、第一端部３１４および第二端部３１６を有するロッド本体３１２を含む。円錐部分３１８は、ロッド本体３１２の第一端部３１４でロッド本体３１２と一体形成される。円錐部分３１８は、三角形先端部分３２０で先細になっている。三角形先端部分３２０は、円錐部分３１８と一体的な近位端部３２４と、略先細状の遠位端部３２６とを有する。大型螺旋状リブ３３２は、ロッド本体３１２と円錐部分３１８に形成される。小型螺旋状リブ３３４は、第一リブ端部３３６で大型螺旋状リブ３３２と一体形成される。小型螺旋状リブ３３４は円錐部分３１８上に延在し、略先細状の遠位端部３２６に向かって先細になっている。把持部分は、ロッド本体３１２と一体的であり、ロッド本体３１２の第二端部３１６に接している。
【００１８】
図８および図９を見てもわかるように、部分的な溝３４８は小型螺旋状リブ３３４の近位端部３５０に沿って円錐部分３１８に形成されており、溝３４８はすべての隣接する小型螺旋状リブ３３４の要素間に延在してはいない。部分的な溝３４８は、円錐部分３１８内に切り込まれた約６４分の１インチの溝であり得る。部分的な溝３４８は、小型螺旋状リブ３３４の下の略先細状の遠位端部３２６から延在し、小型螺旋状リブ３３４がロッド本体３１２上で大型螺旋状リブ３３２と接するところの最も近傍まで続き得る。図示のように、部分的な溝３４８は締結具３１０の約二回転分延在し得る。部分的な溝３４８は小型螺旋状リブ３３４の表面領域を増大させ、締結具３１０の締結強度を向上させる働きをすることができる。
【００１９】
本発明の上述の実施形態、特に任意の「好適な」実施形態は、単に可能な実施例であり、単に本発明の原則を明確に理解するために記載されるものだと強調したい。本発明の精神および原則から本質的に逸脱することなく、本発明の上述の実施形態に多くの変更および修正を加えることができる。そのような修正および変更のすべては、本明細書でこの開示および本発明の範囲に包含され、以下の請求項によって保護されることを目的としている。
【図面の簡単な説明】
【００２０】
【図１】従来技術のねじ先端部設計に従った締結具先端部の正面図である。
【図２】本発明の第１の例示的実施形態に従った締結具の斜視図である。
【図３】本発明の第１の例示的実施形態に従って図２に示された締結具の一部分の正面図である。
【図４】本発明の第１の例示的実施形態に従って図３に示された締結具の一部分の側面図である。
【図５】本発明の第２の例示的実施形態に従った締結具の一部分の正面図である。
【図６】本発明の第２の例示的実施形態に従って図５に例示された締結具の一部分の側面である。
【図７】本発明の第２の例示的実施形態に従って図５に示された、物体を壁に取り付ける締結具の一部分の側面図である。
【図８】本発明の第３の例示的実施形態に従った締結具の一部分の正面図である。
【図９】本発明の第３の例示的実施形態に従って図８に示された締結具の一部分の側面図である。
【図１】
2009250326.tif 000003
【図２】
2009250326.tif 000004
【図３】
2009250326.tif 000005
【図４】
2009250326.tif 000006
【図５】
2009250326.tif 000007
【図６】
2009250326.tif 000008
【図７】
2009250326.tif 000009
【図８】
2009250326.tif 000010
【図９】
2009250326.tif 000011
【外国語明細書】
2009250326000001.pdf
2009250326000002.pdf
2009250326000003.pdf
2009250326000004.pdf